(57)【要約】【課題】一つの側面では、店舗の集客を向上させることができるプログラム、情報処理装置及び情報処理方法を提供することにある。【解決手段】一態様のプログラムは、歩数を計測する機能を有する携帯端末装置１と通信網を介して接続された情報処理装置２に、前記携帯端末装置１により計測された歩数に基づいて前記携帯端末装置１に係るユーザが消費した熱量を算出し、算出した前記熱量以下のカロリーに対応する有価価値情報を、前記携帯端末装置１に送信する処理を実行させる。【選択図】図１
2016115192.tif 000002
【特許請求の範囲】
【請求項１】
歩数を計測する機能を有する携帯端末装置と通信網を介して接続された情報処理装置に、
前記携帯端末装置により計測された歩数に基づいて前記携帯端末装置に係るユーザが消費した熱量を算出し、
算出した前記熱量以下のカロリーに対応する有価価値情報を、前記携帯端末装置に送信する
処理を実行させるプログラム。
【請求項２】
前記熱量に基づいて前記携帯端末装置に係るユーザを識別するための識別情報を前記熱量の順位を示す階級に分類し、
前記識別情報が分類された階級に基づいて前記有価価値情報を特定する
請求項１に記載のプログラム。
【請求項３】
前記階級に分類された識別情報は、さらに前記階級に基づくグループに分類されており、
前記識別情報が分類されたグループ及び階級に基づいて前記有価価値情報を特定する
請求項２に記載のプログラム。
【請求項４】
歩数を計測する機能を有する携帯端末装置と通信網を介して接続された情報処理装置であって、
前記携帯端末装置により計測された歩数に基づいて前記携帯端末装置に係るユーザが消費した熱量を算出する算出部と、
該算出部で算出した熱量以下のカロリーに対応する有価価値情報を特定する特定部と
を備える情報処理装置。
【請求項５】
歩数を計測する機能を有する携帯端末装置と通信網を介して接続された情報処理装置における情報処理方法であって、
前記携帯端末装置により計測された歩数に基づいて前記携帯端末装置に係るユーザが消費した熱量を算出し、
算出した熱量以下のカロリーに対応する有価価値情報を特定する
情報処理方法。
【発明の詳細な説明】
【技術分野】
【０００１】
本発明は、歩数に関する情報を処理するプログラム等に関する。
【背景技術】
【０００２】
従来、歩数計が計測した歩数を取得し、取得した歩数に基づいてクーポンの情報を作成する技術が知られている（例えば特許文献１）。
【先行技術文献】
【特許文献】
【０００３】
【特許文献１】特開２０１２−７３８７２号公報
【発明の概要】
【発明が解決しようとする課題】
【０００４】
しかし、特許文献１に開示された技術では、ユーザが消費したカロリーを超えるカロリーの摂取が促進されてしまい、カロリーの消費および摂取のバランスを損なってしまうといった問題がある。
【０００５】
一つの側面では、カロリーの消費と摂取のバランスの適正化を図ったプログラム等を提供することを目的とする。
【課題を解決するための手段】
【０００６】
一態様では、歩数を計測する機能を有する携帯端末装置と通信網を介して接続された情報処理装置に、前記携帯端末装置により計測された歩数に基づいて前記携帯端末装置に係るユーザが消費した熱量を算出し、算出した前記熱量以下のカロリーに対応する有価価値情報を、前記携帯端末装置に送信する処理を実行させる。
【発明の効果】
【０００７】
一つの側面では、カロリーの摂取と消費のバランスの適正化を図ることができる。
【図面の簡単な説明】
【０００８】
【図１】情報処理システムの概要を示す模式図である。
【図２】携帯端末装置のハードウェア群を示すブロック図である。
【図３】情報処理装置のハードウェア群を示すブロック図である。
【図４】カロリーＤＢに格納されているデータの一例を示す図である。
【図５】クーポンＤＢに格納されているデータの一例を示す図である。
【図６】情報処理システムの一例を説明するための説明図である。
【図７】本実施形態における情報処理システムの処理手順を示したフローチャートである。
【図８】情報処理装置のハードウェア群を示すブロック図である。
【図９】カロリーＤＢに格納されているデータの一例を示す図である。
【図１０】クーポンＤＢに格納されているデータの一例を示す図である。
【図１１】グループＤＢに格納されているデータの一例を示す図である。
【図１２】情報処理システムの一例を説明するための説明図である。
【図１３】識別情報等を表示した表示部の一例を示す説明図である。
【図１４】本実施形態における情報処理システムの処理手順を示したフローチャートである。
【図１５】本実施形態における情報処理システムの処理手順を示したフローチャートである。
【図１６】クーポンＤＢに格納されているデータの一例を示す図である。
【図１７】グループＤＢに格納されているデータの一例を示す図である。
【図１８】本実施形態における情報処理システムの処理手順を示したフローチャートである。
【図１９】本実施形態における情報処理システムの処理手順を示したフローチャートである。
【図２０】情報処理装置のハードウェア群を示すブロック図である。
【図２１】ユーザ情報ＤＢに格納されているデータの一例を示す図である。
【図２２】本実施形態におけるグループ処理の処理手順を示したフローチャートである。
【図２３】クーポンＤＢに格納されているデータの一例を示す図である。
【図２４】本実施形態における情報処理システムの処理手順を示したフローチャートである。
【図２５】本実施形態における情報処理システムの処理手順を示したフローチャートである。
【図２６】実施の形態６に係る情報処理装置のハードウェア群を示すブロック図である。
【図２７】実施の形態６に係る情報処理装置の機能ブロック図である。
【発明を実施するための形態】
【０００９】
実施の形態１
以下本実施の形態を、図面を参照して説明する。図１は情報処理システムの概要を示す模式図である。図１に示す情報処理システムは、携帯端末装置１及び情報処理装置２を備える。携帯端末装置１及び情報処理装置２はインターネット、ＬＡＮ(Local Area Network)または携帯電話網等の通信網Ｎにより相互に接続されている。携帯端末装置１は複数の携帯端末装置１Ａ、１Ｂ及び１Ｃ等により構成され、通信網Ｎを介して、情報処理装置２との間で情報の取得又は出力を行っている。
【００１０】
以下では情報処理システムの概要を説明する。携帯端末装置１は歩数を計測する機能を有し、歩数に関する情報を情報処理装置２へ出力する装置であり、例えば、スマートフォン、携帯電話又はウェアラブル端末等である。携帯端末装置１はユーザの歩数をカウントする。携帯端末装置１はカウントした歩数を算出する。携帯端末装置１は算出した歩数及び携帯端末装置１に係るユーザを識別するための識別情報を情報処理装置２へ出力する。
【００１１】
情報処理装置２は、クーポン情報を携帯端末装置１へ出力する装置であり、例えばコンピュータ、サーバコンピュータ又はプラットフォーム等である。クーポン情報とは有価価値情報である。有価価値情報とは例えば割引又はポイント等の情報である。情報処理装置２は、歩数及び識別情報を携帯端末装置１から取得する。情報処理装置２は取得した歩数に基づいてカロリーを算出する。カロリーとは運動によりユーザが消費した熱量である。情報処理装置２は取得したカロリー及び識別情報に基づいてユーザを階級毎に分類する。情報処理装置２は分類した階級に基づいてクーポン情報を特定する。情報処理装置２は特定したクーポン情報を携帯端末装置１へ出力する。
【００１２】
以下では情報処理システムの詳細を説明する。図２は携帯端末装置１のハードウェア群を示すブロック図である。図２に示す携帯端末装置１は、ＣＰＵ(Central Processing Unit)１１、記憶部１２、ＲＡＭ１３、入力部１４、表示部１５、通信部１６、加速度検出部１７及び計時部１８を備える。
【００１３】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００１４】
記憶部１２は例えばハードディスクまたは大容量メモリ等である。記憶部１２にはＣＰＵ１１が処理を行う際に必要とする種々のデータ、携帯端末装置１に係るユーザの識別情報（図示せず）及びプログラム１２Ｐを格納する。
【００１５】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００１６】
入力部１４はタッチパネル等の入力デバイスであり、受け付けた操作情報をＣＰＵ１１へ出力する。表示部１５はＣＰＵ１１から出力された画像データを出力する。表示部１５は例えば液晶画面である。タッチパネルは表示部１５の表示画面を覆うように設けられている。タッチパネルは例えば、タップ、フリック又はスワイプ等のユーザの指先のタッチ操作により表示部１５の表示画面上における位置指定を受け付ける。タッチパネルはユーザの指先が接触する接触点の表示画面上の座標を検出し、検出した座標とともにユーザが行ったタッチ操作の操作情報をＣＰＵ１１へ出力する。なお、入力部１４はユーザの指示を受け付けるための各種ボタン、指示の確定を受け付けるエンターキー又はテンキー等でもよい。
【００１７】
通信部１６は、例えば無線ＬＡＮカード又は携帯電話用通信モジュール等であり、通信網Ｎを介して各種情報を情報処理装置２との間で送受信する。計時部１８は、例えば現在の時点における時刻を計時し、ＣＰＵ１１の要求に従って、計時結果をＣＰＵ１１に出力する。
【００１８】
加速度検出部１７は例えば、静電容量型加速度センサ又はピエゾ抵抗型加速度センサ等である。静電容量型加速度センサは加速した際の静電容量の変化を電圧に変換し、変換した電圧を計測することで加速度を検出する加速度センサである。ピエゾ抵抗型加速度センサは結晶が圧力により歪んだ際に生じる電気抵抗の変化を電圧に変換し、変換した電圧を計測することで加速度を検出する加速度センサである。加速度検出部１７は３次元方向の加速度を検出することで、検出した加速度及び加速度の生じた方向をＣＰＵ１１へ出力する。
【００１９】
図３は情報処理装置２のハードウェア群を示すブロック図である。図３に示す情報処理装置２は、ＣＰＵ２１、記憶部２２、ＲＡＭ２３、入力部２４、表示部２５及び通信部２６を備える。情報処理装置２は、ＣＰＵ２１、ＲＡＭ２３及び表示部２５の作用及び動作は、携帯端末装置１のＣＰＵ１１、ＲＡＭ１３及び表示部１５の作用及び動作と同様であるため、簡潔のため記載を省略する。
【００２０】
記憶部２２は例えばハードディスクまたは大容量メモリ等である。記憶部２２にはＣＰＵ２１が処理を行う際に必要とする種々のデータ、カロリーＤＢ２２１、クーポンＤＢ２２２及びプログラム２２Ｐを格納する。
【００２１】
入力部２４はマウス、キーボード又はタッチパネル等の入力デバイスであり、受け付けた操作情報をＣＰＵ１１へ出力する。通信部２６は、例えば無線ＬＡＮカード又は携帯電話用通信モジュール等であり、通信網Ｎを介して各種情報を携帯端末装置１との間で送受信する。
【００２２】
図４はカロリーＤＢ２２１に格納されているデータの一例を示す図である。カロリーＤＢ２２１はカロリーに関する情報を記憶するデータベースである。カロリーＤＢ２２１は識別情報列、ユーザ名列、歩数列、カロリー列及び階級列を備える。識別情報列には識別情報が記憶される。ユーザ名列にはユーザの名称が記憶される。歩数列には歩数が記憶される。カロリー列にはカロリーが記憶され、単位はキロカロリーである。階級列にはカロリーに基づいて識別情報を分類した階級が記憶される。識別情報列及びユーザ名列は予め記憶されている。情報処理装置２のＣＰＵ２１は歩数及び識別情報を取得する。ＣＰＵ２１は取得した歩数に基づいてカロリーを算出する。ＣＰＵ２１はカロリーに基づいてカロリーＤＢ２２１に記憶された識別情報を階級毎に分類する。ＣＰＵ２１は歩数、カロリー及び階級をカロリーＤＢ２２１の歩数列、カロリー列及び階級列に記憶する。
【００２３】
図５はクーポンＤＢ２２２に格納されているデータの一例を示す図である。クーポンＤＢ２２２はクーポン情報に関する情報を記憶するデータベースである。クーポンＤＢ２２２は階級列、クーポン列及びカロリー列を備える。階級列には階級が記憶される。クーポン列にはクーポン情報が記憶される。クーポン列には例えば、牛乳割引、牛丼割引又はうな重割引が記憶される。カロリー列にはクーポンに対応づけられたカロリーが記憶される。牛乳割引とは牛乳の割引ができるクーポンである。牛丼割引とは牛丼の割引ができるクーポンである。うな重割引とはうな重の割引ができるクーポンである。サウナ割引とはサウナの割引ができるクーポンである。スポーツジム利用料割引とはスポーツジムの利用料の割引ができるクーポンである。クーポンＤＢ２２２は予め記憶されている。
【００２４】
図６は情報処理システムの一例を説明するための説明図である。具体的な情報処理システムの動作及び作用を図４〜６を参照しつつ説明する。ユーザＡ、ユーザＢ及びユーザＣが１時間歩行する。ＣＰＵ１１は携帯端末装置1を起動してから所定の時間が経過したと判定する。所定の時間とは例えば１時間である。ＣＰＵ１１は加速度検出部１７から取得した加速度及び加速度の生じた方向に基づいて携帯端末装置１に係るユーザＡの歩数を「１００００」と算出し、ユーザＢの歩数を「２００００」と算出し、ユーザＣの歩数を「３００００」と算出する。
【００２５】
ＣＰＵ１１は算出した歩数「１００００」、「２００００」及び「３００００」並びにユーザＡ、Ｂ及びＣに対応する識別情報「１１１１」、「１１１２」及び「１１１３」を情報処理装置２へ出力する。情報処理装置２のＣＰＵ２１は歩数「１００００」、「２００００」及び「３００００」並びに識別情報「１１１１」、「１１１２」及び「１１１３」を取得する。ＣＰＵ２１は例えば以下の（１）の式でカロリーを算出する。
（１）  所定の値×歩数＝カロリー
カロリーの単位はｃａｌである。所定の値とは例えば３０である。すなわちＣＰＵ２１は「３００ｋｃａｌ」、「６００ｋｃａｌ」及び「９００ｋｃａｌ」を算出する。なお、カロリーの算出方法は上述の式に限られない。例えば、体重又は性別及び歩数に基づいてカロリーを算出してもよい。
【００２６】
ＣＰＵ２１は歩数「１００００」、「２００００」及び「３００００」及びカロリー「３００ｋｃａｌ」、「６００ｋｃａｌ」及び「９００ｋｃａｌ」を識別情報に対応づけてカロリーＤＢ２２１に記憶する。識別情報「１１１１」のカロリーが「３００ｋｃａｌ」であり、識別情報「１１１２」のカロリーが「６００ｋｃａｌ」であり、識別情報「１１１３」のカロリーが「９００ｋｃａｌ」である。このことからＣＰＵ２１は識別情報「１１１１」の階級を３に分類し、識別情報「１１１２」の階級を２に分類し、識別情報「１１１３」の階級を１に分類する。ＣＰＵ２１はカロリーＤＢ２２１において識別情報「１１１１」に対応づけられた階級列に３を記憶し、識別情報「１１１２」に対応づけられた階級列に２を記憶し、識別情報「１１１３」に対応づけられた階級列に１を記憶する。
【００２７】
ＣＰＵ２１はクーポンＤＢ２２２を参照する。ＣＰＵ２１は識別情報「１１１１」の階級が３であるため、クーポン情報「牛乳割引」を特定する。識別情報「１１１２」の階級が２であるため、クーポン情報「牛丼割引」を特定する。識別情報「１１１３」の階級が１であるため、クーポン情報「うな重割引」を特定する。ＣＰＵ２１は識別情報「１１１１」のカロリー「３００ｋｃａｌ」が、クーポン情報「牛乳割引」に対応づけられたカロリー「４００ｋｃａｌ」以下であると判定する。ＣＰＵ２１は識別情報「１１１２」のカロリー「６００ｋｃａｌ」が、クーポン情報「牛丼割引」に対応づけられたカロリー「７００ｋｃａｌ」以下であると判定する。ＣＰＵ２１は識別情報「１１１３」のカロリー「９００ｋｃａｌ」が、クーポン情報「うな重割引」に対応づけられたカロリー「１０００ｋｃａｌ」以下であると判定する。ＣＰＵ２１は特定したクーポン情報「牛乳割引」、「牛丼割引」及び「うな重割引」を携帯端末装置１Ａ、１Ｂ及び１Ｃへ出力する。
【００２８】
携帯端末装置１Ａ、１Ｂ及び１ＣのＣＰＵ１１はクーポン情報「牛乳割引」、「牛丼割引」及び「うな重割引」を情報処理装置２から取得する。携帯端末装置１Ａ、１Ｂ及び１ＣのＣＰＵ１１は表示部１５にクーポン情報「牛乳割引」、「牛丼割引」及び「うな重割引」を表示し、処理を終了する。
【００２９】
図７は本実施形態における情報処理システムの処理手順を示したフローチャートである。携帯端末装置１のＣＰＵ１１は携帯端末装置1を起動してから所定の時間が経過したか否かを判定する（ステップＳ１１）。所定の時間とは例えば１時間である。ＣＰＵ１１は携帯端末装置１を起動してから所定の時間が経過しなかったと判定した場合（ステップＳ１１：ＮＯ）、所定の時間を経過するまで待機する。ＣＰＵ１１は携帯端末装置１を起動してから所定の時間が経過したと判定した場合（ステップＳ１１：ＹＥＳ）、加速度検出部１７から取得した加速度及び加速度の生じた方向に基づいて携帯端末装置１に係るユーザの歩数を算出する（ステップＳ１２）。
【００３０】
ＣＰＵ１１は算出した歩数及び記憶部１２に記憶された識別情報を情報処理装置２へ出力する（ステップＳ１３）。情報処理装置２のＣＰＵ２１は歩数及び識別情報を取得する（ステップＳ１４）。ＣＰＵ２１は取得した歩数に基づいてカロリーを算出する（ステップＳ１５）。
【００３１】
ＣＰＵ２１は歩数及びカロリーを識別情報に対応づけてカロリーＤＢ２２１に記憶する（ステップＳ１６）。ＣＰＵ２１はカロリーに基づいてカロリーＤＢ２２１に記憶された識別情報を階級毎に分類する（ステップＳ１７）。具体的にはＣＰＵ２１はカロリーが多い順に識別情報を階級毎に分類する。ＣＰＵ２１はカロリーＤＢ２２１に分類した階級を記憶する（ステップＳ１８）。
【００３２】
ＣＰＵ２１はクーポンＤＢ２２２を参照し、取得した識別情報における分類した階級に基づいてクーポン情報を特定する（ステップＳ１９）。ＣＰＵ２１は算出した熱量（カロリー）は特定したクーポン情報に対応するカロリー以下であるか否かを判定する（ステップＳ２０）。ＣＰＵ２１は算出した熱量は特定したクーポン情報に対応するカロリー以下でないと判定した場合（ステップＳ２０：ＮＯ）、特定したクーポン情報に対応するカロリーを超えるカロリーに対応するクーポン情報を特定する（ステップＳ２１）。またＣＰＵ２１は算出した熱量以下のカロリーに対応する有価価値情報が特定されない場合、カロリーをさらに消費する行動に関する有価価値情報を特定してもよい。ＣＰＵ２１は算出した熱量は特定したクーポン情報に対応するカロリー以下であると判定した場合（ステップＳ２０：ＹＥＳ）、特定したクーポン情報を携帯端末装置１へ出力する（ステップＳ２２）。ＣＰＵ１１はクーポン情報を情報処理装置２から取得する（ステップＳ２３）。ＣＰＵ１１は表示部１５にクーポン情報を表示し（ステップＳ２４）、処理を終了する。
【００３３】
なお、本実施形態ではカロリーに基づいてカロリーＤＢ２２１に記憶された識別情報を階級毎に分類したが、歩数に基づいてカロリーＤＢ２２１に記憶された識別情報を階級毎に分類してもよい。
【００３４】
また、本実施形態では階級に基づいてクーポン情報を特定したが、カロリーに基づいてクーポン情報を特定してもよい。
【００３５】
一態様によれば、カロリーの摂取と消費のバランスの適正化を図ることができる。
【００３６】
一態様によれば、階級に基づいてクーポン情報を特定する。このことにより競争により苦労して得るので、クーポンを使用したいという意思が強くなるため、店舗の集客を向上させることができる
【００３７】
一態様によれば、歩数から算出した熱量以下のカロリーの飲食物に対応する有価価値情報が特定されない場合には、例えば、サウナ割引、スポーツジム利用料割引のようなカロリーをさらに消費する行動に関する有価価値情報を特定する。これにより、カロリーの消費と摂取のバランスに配慮した有価価値情報を送信することができ、有価価値情報が利用されやすくすることで店舗の集客を促すことができる。
【００３８】
実施の形態２
以下本発明の実施の形態２をその実施の形態を示す図面に基づいて詳述する。図８は情報処理装置２のハードウェア群を示すブロック図である。以下、特に説明する構成、作用以外の構成及び作用は実施の形態１と同等であり、簡潔のため記載を省略する。情報処理装置２の記憶部２２はさらにグループＤＢ２２３を備える。
【００３９】
図９はカロリーＤＢ２２１に格納されているデータの一例を示す図である。カロリーＤＢ２２１はさらにグループ列を備える。グループ列には階級に基づくグループの名称が記憶される。なお、本実施形態では予め識別情報はグループ毎に分類されている。
【００４０】
図１０はクーポンＤＢ２２２に格納されているデータの一例を示す図である。クーポンＤＢ２２２はさらにグループ列を備える。グループ列にはグループの名称が記憶される。クーポンＤＢ２２２のグループ列は予め記憶されている。
【００４１】
図１１はグループＤＢ２２３に格納されているデータの一例を示す図である。グループＤＢ２２３はグループに関するデータを記憶するためのデータベースである。グループＤＢ２２３はグループ列及びランク列を備える。グループ列にはグループの名称が記憶される。ランク列にはグループを順位毎に分類したランクが記憶される。ランクとはすなわちグループ階級である。グループＤＢ２２３は予め記憶されている。
【００４２】
図１２は情報処理システムの一例を説明するための説明図である。具体的な情報処理システムの作用及び動作を図９〜１２を参照しつつ説明する。ＣＰＵ２１はカロリーＤＢ２２１を参照し、取得した識別情報「１１１１」、「１１１２」及び「１１１３」に対応づけられたグループＢを特定する。識別情報「１１１１」のカロリーが「３００ｋｃａｌ」であり、識別情報「１１１２」のカロリーが「６００ｋｃａｌ」であり、識別情報「１１１３」のカロリーが「９００ｋｃａｌ」である。このことからＣＰＵ２１はグループＢ内の識別情報「１１１１」の階級を３に分類し、識別情報「１１１２」の階級を２に分類し、識別情報「１１１３」の階級を１に分類する。
【００４３】
ＣＰＵ２１はグループＢ内の識別情報「１１１１」、「１１１２」及び「１１１３」、歩数「１００００」、「２００００」及び「３００００」並びに階級「３」、「２」及び「１」を携帯端末装置１Ａ、１Ｂ及び１Ｃへ出力する。携帯端末装置１Ａ、１Ｂ及び１ＣのＣＰＵ１１はグループＢ内の識別情報「１１１１」、「１１１２」及び「１１１３」、歩数「１００００」、「２００００」及び「３００００」並びに階級「３」、「２」及び「１」を情報処理装置２から取得する。
【００４４】
図１３は識別情報等を表示した表示部１５の一例を示す説明図である。表示部１５は左部の上下方向に複数設けられた階級欄２１Ａ、２１Ｂ及び２１Ｃ等により構成される階級欄２５１を備える。表示部１５は階級欄２５１の右部に複数設けられたユーザ名欄２２Ａ、２２Ｂ及び２２Ｃ等により構成されるユーザ名欄２５２を備える。表示部１５はユーザ名欄２５２の右部に複数設けられた歩数欄２３Ａ、２３Ｂ及び２３Ｃ等により構成される歩数欄２５３を備える。表示部１５は歩数欄２５３の右部に複数設けられたカロリー欄２４Ａ、２４Ｂ及び２４Ｃ等により構成されるカロリー欄２５４を備える。階級欄２５１は階級を表示するための欄である。ユーザ名欄２５２はユーザの名称を表示するための欄である。歩数欄２５３は歩数を表示するための欄である。カロリー欄２５４はカロリーを表示するための欄である。
【００４５】
ＣＰＵ１１は階級欄２１Ａに「１位」を表示し、ユーザ名欄２２Ａに「ユーザＣ」を表示し、歩数欄２３Ａに「３００００」を表示し、カロリー欄２４Ａに「９００」を表示する。ＣＰＵ１１は階級欄２１Ｂに「２位」を表示し、ユーザ名欄２２Ｂに「ユーザＢ」を表示し、歩数欄２３Ｂに「２００００」を表示し、カロリー欄２４Ｂに「６００」を表示する。ＣＰＵ１１は階級欄２１Ｃに「３位」を表示し、ユーザ名欄２２Ｃに「ユーザＡ」を表示し、歩数欄２３Ｃに「１００００」を表示し、カロリー欄２４Ｃに「３００」を表示する。
【００４６】
ＣＰＵ２１は識別情報「１１１３」の階級が所定の第１階級であるか否かを判定する。所定の第１階級とは例えばグループ内における一番高い階級である。ＣＰＵ２１は「１１１３」が所定の第１階級であると判定する。ＣＰＵ２１はランク１のグループＡに識別情報「１１１３」を対応づける。ＣＰＵ２１はグループＤＢ２２３を参照し、ランク１に対応づけられたグループＡと識別情報「１１１３」とを対応づける。
【００４７】
ＣＰＵ２１は識別情報「１１１１」の階級が所定の第１階級でないと判定する。ＣＰＵ２１は識別情報「１１１１」の階級が所定の第２階級であるか否かを判定する。所定の第２階級とは例えばグループ内における一番低い階級である。ＣＰＵ２１は識別情報「１１１１」の階級が所定の第２階級であると判定する。ＣＰＵ２１はグループＤＢ２２３を参照し、ランク３に対応づけられたグループＣと識別情報「１１１１」とを対応づける。ＣＰＵ２１はグループＤＢ２２３を参照し、ランク３に対応づけられたグループＣと識別情報「１１１１」とを対応づける。
【００４８】
ＣＰＵ２１は識別情報「１１１２」の階級が所定の第１階級でないと判定する。ＣＰＵ２１は識別情報「１１１２」の階級が所定の第２階級でないと判定する。ＣＰＵ２１はグループＤＢ２２３を参照し、ランク２に対応づけられたグループＢと識別情報「１１１２」とを対応づける。
【００４９】
グループＡ内では識別情報「１１１３」のカロリーが「９００ｋｃａｌ」であり、識別情報「１１１４」のカロリーが「１２００ｋｃａｌ」である。このため、ＣＰＵ２１は識別情報「１１１３」を階級２に分類し、識別情報「１１１４」を階級１に分類する。
【００５０】
グループＢ内では識別情報「１１１２」の１つであるため、ＣＰＵ２１は識別情報「１１１２」を階級１に分類する。グループＣ内では識別情報「１１１１」のカロリーが「３００ｋｃａｌ」であり、識別情報「１１１５」のカロリーが「９００ｋｃａｌ」である。このため、ＣＰＵ２１は識別情報「１１１１」を階級２に分類し、識別情報「１１１５」を階級１に分類する。
【００５１】
ＣＰＵ２１はカロリーＤＢ２２１に識別情報「１１１１」に対応づけてグループＣ及び階級２を記憶する。ＣＰＵ２１はカロリーＤＢ２２１に識別情報「１１１２」に対応づけてグループＢ及び階級１を記憶する。ＣＰＵ２１はカロリーＤＢ２２１に識別情報「１１１３」に対応づけてグループＡ及び階級２を記憶する。ＣＰＵ２１はカロリーＤＢ２２１に識別情報「１１１４」に対応づけてグループＡ及び階級１を記憶する。ＣＰＵ２１はカロリーＤＢ２２１に識別情報「１１１５」に対応づけてグループＣ及び階級１を記憶する。
【００５２】
ＣＰＵ２１はクーポンＤＢ２２２を参照し、取得した識別情報「１１１１」は「グループＣ」であり、かつ階級が２であるため、クーポン情報「ティッシュ割引」を特定する。ＣＰＵ２１はクーポンＤＢ２２２を参照し、取得した識別情報「１１１２」は「グループＢ」であり、かつ階級が１であるため、クーポン情報「うな重割引」を特定する。ＣＰＵ２１はクーポンＤＢ２２２を参照し、取得した識別情報「１１１３」は「グループＡ」であり、かつ階級が２であるため、クーポン情報「特上天丼割引」を特定する。ＣＰＵ２１は識別情報「１１１１」のカロリー「３００ｋｃａｌ」が、クーポン情報「ティッシュ割引」に対応づけられたカロリー「３００ｋｃａｌ」以下であると判定する。ＣＰＵ２１は識別情報「１１１２」のカロリー「６００ｋｃａｌ」が、クーポン情報「うな重割引」に対応づけられたカロリー「１０００ｋｃａｌ」以下であると判定する。ＣＰＵ２１は識別情報「１１１３」のカロリー「９００ｋｃａｌ」が、クーポン情報「特上天丼割引」に対応づけられたカロリー「１３００ｋｃａｌ」以下であると判定する。ＣＰＵ２１は特定したクーポン情報「ティッシュ割引」、「うな重割引」及び「特上天丼割引」を携帯端末装置１Ａ、１Ｂ及び１Ｃへ出力する。
【００５３】
携帯端末装置１Ａ、１Ｂ及び１ＣのＣＰＵ１１はクーポン情報「ティッシュ割引」、「うな重割引」及び「特上天丼割引」を情報処理装置２から取得する。携帯端末装置１Ａ、１Ｂ及び１ＣのＣＰＵ１１は表示部１５にクーポン情報「ティッシュ割引」、「うな重割引」及び「特上天丼割引」を表示し、処理を終了する。
【００５４】
図１４〜１５は本実施形態における情報処理システムの処理手順を示したフローチャートである。ステップＳ１〜Ｓ１６の処理は上述の実施の形態１に係る情報処理システムと同様であるので、簡潔のため説明を省略する。ＣＰＵ２１はステップＳ１６の処理を終了した後、カロリーＤＢ２２１を参照し、取得した識別情報に対応づけられたグループを特定する（ステップＳ３１）。ＣＰＵ２１はカロリーに基づいて特定したグループ内の識別情報を階級毎に分類する（ステップＳ３２）。
【００５５】
ＣＰＵ２１は取得した識別情報に対応づけられたグループ内のユーザ名、歩数及び階級を携帯端末装置１へ出力する（ステップＳ３３）。ＣＰＵ１１はグループ内のユーザ名、歩数及び階級を情報処理装置２から取得する（ステップＳ３４）。ＣＰＵ１１はグループ内のユーザ名、歩数及び階級に基づいて表示部１５に表示し（ステップＳ３５）、処理を終了する。
【００５６】
ＣＰＵ２１はステップＳ３３の処理を終了した後、取得した識別情報の階級が所定の第１階級であるか否かを判定する（ステップＳ３６）。所定の第１階級とは例えばグループ内における一番高い階級である。ＣＰＵ２１は取得した識別情報の階級が所定の第１階級であると判定した場合（ステップＳ３６：ＹＥＳ）、所定の第１値上のランクのグループに識別情報を対応づけ（ステップＳ３７）、処理をステップＳ４０に移す。所定の第１値とは例えば１である。ＣＰＵ２１は取得した識別情報の階級が所定の第１階級でないと判定した場合（ステップＳ３６：ＮＯ）、取得した識別情報の階級が所定の第２階級であるか否かを判定する（ステップＳ３８）。所定の第２階級とは例えばグループ内における一番低い階級である。
【００５７】
ＣＰＵ２１は取得した識別情報の階級が所定の第２階級でないと判定した場合（ステップＳ３８：ＮＯ）、処理をステップＳ４２に移す。ＣＰＵ２１は取得した識別情報の階級が所定の第２階級であると判定した場合（ステップＳ３８：ＹＥＳ）、所定の第２値下のランクのグループに識別情報を対応づける（ステップＳ３９）。所定の第２値とは例えば１である。ＣＰＵ２１はグループＤＢ２２３を参照し、ランクに対応づけられたグループと識別情報とを対応づける（ステップＳ４０）。ＣＰＵ２１はカロリーに基づいてグループ内の識別情報を階級毎に分類する（ステップＳ４１）。
【００５８】
ＣＰＵ２１はカロリーＤＢ２２１にグループ及び階級を識別情報に対応づけて記憶する（ステップＳ４２）。ＣＰＵ２１はクーポンＤＢ２２２を参照し、取得した識別情報のグループ及び階級に基づいてクーポン情報を特定し（ステップＳ４３）、処理をステップＳ２０に移す。
【００５９】
一態様によれば、グループ及び階級に基づいてクーポン情報を特定するため、熱量の差が狭いグループ内のユーザ同士の競争心を煽ることでクーポンを使用したいという意思が強くなるため、店舗の集客をより向上させることができる。
【００６０】
一態様によれば、所定の階級にあるか否かを判定することで識別情報のグループを変更するため、ユーザが上のグループに行く向上心を煽ることでクーポンを使用したいという意思が強くなるため、店舗の集客をより向上させることができる。
【００６１】
実施の形態３
以下本発明の実施の形態３をその実施の形態を示す図面に基づいて詳述する。図１６はクーポンＤＢ２２２に格納されているデータの一例を示す図である。以下、特に説明する構成、作用以外の構成及び作用は実施の形態２と同等であり、簡潔のため記載を省略する。クーポンＤＢ２２２はグループ列の代わりにランク列を備える。ランク列にはランクが記憶される。ランク列は予め記憶されている。
【００６２】
図１７はグループＤＢ２２３に格納されているデータの一例を示す図である。グループＤＢ２２３はさらにカロリー合計値列を備える。カロリー合計値列にはカロリーの合計を示すカロリー合計値が記憶される。本実施形態においてランクはカロリー合計値の順位を示す。ＣＰＵ２１は取得した識別情報のグループ内のカロリー合計値を算出する。ＣＰＵ２１は算出したカロリー合計値をカロリー合計値列に記憶する。ＣＰＵ２１はカロリー合計値が他のカロリー合計値を超えたか否か又はカロリー合計値が他のカロリー合計値未満であったか否かを判定する。ＣＰＵ２１は判定結果に応じてグループのランクを変更し、変更したランクをグループＤＢ２２３のグループ列に記憶する。
【００６３】
具体的な情報処理システムの作用及び動作は以下の通りである。ＣＰＵ２１は取得した識別情報「１１１１」、「１１１２」及び「１１１３」のグループＢを特定した後、カロリーＤＢ２２１を参照し、グループＢのカロリー合計値「１８００ｋｃａｌ」を算出する。ＣＰＵ２１はカロリー合計値「１８００ｋｃａｌ」がグループＡのカロリー合計値「１２００ｋｃａｌ」を超えたため、取得した識別情報「１１１１」、「１１１２」及び「１１１３」のグループのランクを１上昇させる。ＣＰＵ２１はグループＡのランクを１下降させる。ＣＰＵ２１はグループＤＢ２２３にグループＡのランクを２に記憶し、グループＢのランクを１に記憶する。
【００６４】
図１８〜１９は本実施形態における情報処理システムの処理手順を示したフローチャートである。ステップＳ１１〜Ｓ４３の処理は上述の実施の形態２に係る情報処理システムと同様であるので、簡潔のため説明を省略する。ＣＰＵ２１はステップＳ３３の処理を終了した後、カロリーＤＢ２２１を参照し、取得した識別情報のグループ内のカロリー合計値を算出する（ステップＳ５１）。ＣＰＵ２１はカロリー合計値が他のカロリー合計値を超えたか否かを判定する（ステップＳ５２）。ＣＰＵ２１はカロリー合計値が他のカロリー合計値を超えたと判定した場合（ステップＳ５２：ＹＥＳ）、取得した識別情報のグループのランクを１上昇させる（ステップＳ５３）。ＣＰＵ２１は他のカロリー合計値のグループのランクを１下降させ（ステップＳ５４）、処理をステップＳ５８に移す。
【００６５】
ＣＰＵ２１はカロリー合計値が他のカロリー合計値を超えなかったと判定した場合（ステップＳ５２：ＮＯ）、カロリー合計値が他のカロリー合計値未満であったか否かを判定する（ステップＳ５５）。カロリー合計値が他のカロリー合計値未満でなかったと判定した場合（ステップＳ５５：ＮＯ）、処理をステップＳ５８に移す。カロリー合計値が他のカロリー合計値未満であったと判定した場合（ステップＳ５５：ＹＥＳ）、取得した識別情報のグループのランクを１下降させる（ステップＳ５６）。ＣＰＵ２１は他のカロリー合計値のグループのランクを１上昇させる（ステップＳ５７）。ＣＰＵ２１はグループＤＢ２２３にグループのランクを記憶し（ステップＳ５８）、処理をステップＳ３６に移す。
【００６６】
ＣＰＵ２１はステップＳ４２の処理を終了した後、グループのランク及び階級に基づいてクーポン情報を特定し（ステップＳ５９）、処理をステップＳ２０に移す。
【００６７】
一態様によれば、カロリー合計値に基づいてグループのランクを変更するため、グループ同士が連帯感をもって競争を行うため、連帯感をもったグループ毎に店舗へ行くため店舗の集客をより向上させることができる。
【００６８】
実施の形態４
以下本発明の実施の形態４をその実施の形態を示す図面に基づいて詳述する。図２０は情報処理装置２のハードウェア群を示すブロック図である。以下、特に説明する構成、作用以外の構成及び作用は実施の形態３と同等であり、簡潔のため記載を省略する。情報処理装置２の記憶部２２はさらにユーザ情報ＤＢ２２４を備える。記憶部１２には携帯端末装置１に係るユーザの属性を示す属性情報（図示せず）が記憶されている。
【００６９】
図２１はユーザ情報ＤＢ２２４に格納されているデータの一例を示す図である。ユーザ情報ＤＢ２２４は属性情報に関するデータを記憶するデータベースである。ユーザ情報ＤＢ２２４は識別情報列及び属性列を備える。識別情報列は識別情報が記憶される。属性列には属性情報が記憶される。属性列は年齢列、性別列及び地域列を備える。年齢列はユーザの年齢が記憶される。性別列はユーザの性別が記憶される。地域列にはユーザに対応づけられた地域が記憶される。
【００７０】
具体的な識別情報をグループに分類するグループ処理の作用及び動作は以下の通りである。ＣＰＵ１１は記憶部１２から識別情報「１１１１」及び年齢「２０」を読み出す。ＣＰＵ１１は読み出した識別情報「１１１１」及び年齢「２０」を情報処理装置２へ出力する。ＣＰＵ２１は識別情報「１１１１」及び年齢「２０」を携帯端末装置１から取得する。ＣＰＵ２１は識別情報「１１１１」及び年齢「２０」に基づいて２０〜３０歳のグループであるグループＣに分類する。ＣＰＵ２１は識別情報「１１１１」及び年齢「２０」をユーザ情報ＤＢ２２４に記憶し、識別情報「１１１１」及びグループＣをカロリーＤＢ２２１に記憶する。以下、識別情報「１１１２」及び「１１１３」は同様の処理を行うため、記載を省略する。
【００７１】
図２２は本実施形態におけるグループ処理の処理手順を示したフローチャートである。ステップＳ１１〜Ｓ５９の処理は上述の実施の形態３に係る情報処理システムと同様であるので、簡潔のため説明を省略する。ＣＰＵ１１は記憶部１２から識別情報及び属性情報を読み出す（ステップＳ６１）。ＣＰＵ１１は読み出した識別情報及び属性情報を情報処理装置２へ出力する（ステップＳ６２）。ＣＰＵ２１は識別情報及び属性情報を携帯端末装置１から取得する（ステップＳ６３）。ＣＰＵ２１は識別情報を属性情報に基づいてグループに分類する（ステップＳ６４）。例えば、識別情報を性別又は地域が同一のグループに分類する。または識別情報を所定の年齢層毎にグループに分類する。所定の年齢層とは例えば、２０〜３０歳又は３０〜４０歳等である。ＣＰＵ２１は識別情報及び属性情報をユーザ情報ＤＢ２２４に記憶し、識別情報及び分類したグループをカロリーＤＢ２２１に記憶し（ステップＳ６５）、処理を終了する。
【００７２】
一態様によれば、属性情報に基づいて識別情報をグループに分類するため、同好のユーザ毎にまとまることができるため、本実施形態における情報処理システムをより使用するようになるので、店舗の集客を向上させることができる。
【００７３】
実施の形態５
以下本発明の実施の形態５をその実施の形態を示す図面に基づいて詳述する。図２３はクーポンＤＢ２２２に格納されているデータの一例を示す図である。以下、特に説明する構成、作用以外の構成及び作用は実施の形態２と同等であり、簡潔のため記載を省略する。
【００７４】
クーポンＤＢ２２２はさらに店舗列を備える。店舗列にはユーザに対応づけられた店舗の情報を示す店舗情報が記憶される。クーポンＤＢ２２２の店舗情報列は予め記憶されている。店舗情報は例えば、クーポンを提供するホームページで本実施形態におけるプログラムがダウンロードされた場合、同時に店舗情報がダウンロードされ、記憶部１２に記憶される。
【００７５】
具体的な情報処理システムの作用及び動作は以下の通りである。ユーザがレストランのホームページで本実施形態におけるプログラムをダウンロードし、店舗情報「レストラン」が記憶部１２に記憶される。ＣＰＵ１１は算出した歩数「４００」及び記憶部１２に記憶された識別情報「１１１４」及び店舗情報「レストラン」を情報処理装置２へ出力する。情報処理装置２のＣＰＵ２１は歩数「４００」、識別情報「１１１４」及び店舗情報「レストラン」を取得する。ＣＰＵ２１は実施の形態３と同様の処理をした後、クーポンＤＢ２２２を参照し、取得した識別情報「１１１４」のグループＡ、階級「１」及び店舗情報「レストラン」に基づいてクーポン情報「すし割引」を特定する。実施の形態３と同様の処理を行う。
【００７６】
図２４〜２５は本実施形態における情報処理システムの処理手順を示したフローチャートである。ステップＳ１１等の処理は上述の実施の形態２に係る情報処理システムと同様であるので、簡潔のため説明を省略する。ＣＰＵ１１はＳ１２の処理を終了した後、算出した歩数及び記憶部１２に記憶された識別情報及び店舗情報を情報処理装置２へ出力する（ステップＳ７１）。情報処理装置２のＣＰＵ２１は歩数、識別情報及び店舗情報を取得し（ステップＳ７２）、処理をステップＳ１５に移す。ＣＰＵ２１はステップＳ４２の処理を終了した後、クーポンＤＢ２２２を参照し、取得した識別情報のグループ、階級及び店舗情報に基づいてクーポン情報を特定し（ステップＳ７３）、処理をステップＳ２０に移す。
【００７７】
なお、本実施形態では取得した識別情報のグループ、階級及び店舗情報に基づいてクーポン情報を特定したが、取得した識別情報のグループのランク、階級及び店舗情報に基づいてクーポン情報を特定してもよい。
【００７８】
一態様によれば、店舗情報に基づいてクーポン情報を特定する。このことにより店舗に対応するクーポン情報を特定することができるので、店舗の集客をより向上させることができる。
【００７９】
実施の形態６
以下本発明の実施の形態６をその実施の形態を示す図面に基づいて詳述する。図２６は実施の形態６に係る情報処理装置２のハードウェア群を示すブロック図である。以下、特に説明する構成、作用以外の構成及び作用は実施の形態５と同等であり、簡潔のため記載を省略する。
【００８０】
情報処理装置２を動作させるためのプログラムは、ディスクドライブ等の読取部２７にＣＤ−ＲＯＭ、ＤＶＤ（Digital Versatile Disc）ディスク、メモリーカード、又はＵＳＢ（Universal Serial Bus）メモリ等の可搬型記録媒体２７Ａを読み取らせて記憶部２２に記憶してもよい。また当該プログラムを記憶したフラッシュメモリ等の半導体メモリ２７Ｂを情報処理装置２内に実装しても良い。通信部２６は、例えば無線ＬＡＮカード又は携帯電話用通信モジュール等であり、通信網Ｎを介して他のサーバに接続されている。当該プログラムは、通信部２６によりインターネット等の通信網Ｎを介して接続される他のサーバ（図示せず）からダウンロードすることも可能である。以下にその内容を説明する。
【００８１】
図２６に示す情報処理装置２は、上述した各種ソフトウェア処理を実行するプログラムを、可搬型記録媒体２７Ａ又は半導体メモリ２７Ｂから読み取り、あるいは、通信網Ｎを介して他のサーバ（図示せず）からダウンロードする。当該プログラムは、プログラム２２Ｐとしてインストールされ、記憶部２２にロードして実行される。これより上述した情報処理装置２として機能する。
【００８２】
図２７は実施の形態６に係る情報処理装置２の機能ブロック図である。ＣＰＵ２１がプログラム２２Ｐを実行することにより、情報処理装置２は以下のように動作する。算出部２１Ｄは携帯端末装置１により計測された歩数に基づいて携帯端末装置１に係るユーザが消費した熱量を算出する。特定部２１Ｅは算出部２１Ｄで算出した熱量に基づいて有価価値情報を特定する。
【００８３】
以上の実施の形態に関し、更に以下の付記を開示する。
（付記１）    
歩数を計測する機能を有する携帯端末装置と通信網を介して接続された情報処理装置に、
前記携帯端末装置により計測された歩数に基づいて前記携帯端末装置に係るユーザが消費した熱量を算出し、
算出した前記熱量以下のカロリーに対応する有価価値情報を、前記携帯端末装置に送信する
処理を実行させるプログラム。
（付記２）    
前記熱量に基づいて前記携帯端末装置に係るユーザを識別するための識別情報を前記熱量の順位を示す階級に分類し、
前記識別情報が分類された階級に基づいて前記有価価値情報を特定する
付記１に記載のプログラム。
（付記３）    
前記階級に分類された識別情報は、さらに前記階級に基づくグループに分類されており、
前記識別情報が分類されたグループ及び階級に基づいて前記有価価値情報を特定する
付記２に記載のプログラム。
（付記４）    
前記グループにおける階級が所定の階級であるか否かを判定し、
前記グループにおける階級が所定の階級であると判定した場合、前記識別情報が分類されたグループを変更する
付記３に記載のプログラム。
（付記５）    
複数の識別情報により識別される複数のユーザが消費した熱量の合計値を前記グループ毎に算出し、
算出した合計値に基づいて前記合計値の順位を示すグループ階級を変更し、
変更したグループ階級及び前記階級に基づいて前記有価価値情報を特定する
付記３又は付記４に記載のプログラム。
（付記６）    
前記グループには、前記ユーザの属性を示す属性情報に基づいて前記識別情報が分類される
付記３から付記５のいずれか１つに記載のプログラム。
（付記７）    
店舗の情報を示す店舗情報、前記階級及びグループに基づいて前記有価価値情報を特定する
付記３から付記６のいずれか１つに記載のプログラム。
（付記８）    
算出した熱量以下のカロリーに対応する有価価値情報が特定されない場合、カロリーをさらに消費する行動に関する有価価値情報を前記端末装置に送信する
付記１から付記７のいずれか１つに記載のプログラム。
（付記９）    
歩数を計測する機能を有する携帯端末装置と通信網を介して接続された情報処理装置であって、
前記携帯端末装置により計測された歩数に基づいて前記携帯端末装置に係るユーザが消費した熱量を算出する算出部と、
該算出部で算出した熱量以下のカロリーに対応する有価価値情報を特定する特定部と
を備える情報処理装置。
（付記１０）    
歩数を計測する機能を有する携帯端末装置と通信網を介して接続された情報処理装置における情報処理方法であって、
前記携帯端末装置により計測された歩数に基づいて前記携帯端末装置に係るユーザが消費した熱量を算出し、
算出した熱量以下のカロリーに対応する有価価値情報を特定する
情報処理方法。
【００８４】
以上の実施の形態で示された発明情報もしくは発明関連情報へのアクセスの許可又は禁止は例示であって、制限的なものではないと考えられるべきである。各判定処理後における発明情報もしくは発明関連情報の許可又は禁止は任意に入れ替えることができる。
【００８５】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【００８６】
１  携帯端末装置
２  情報処理装置
２２Ｐ  プログラム
２２Ｄ  算出部
２２Ｅ  特定部
【図１】
2016115192.tif 000003
【図２】
2016115192.tif 000004
【図３】
2016115192.tif 000005
【図４】
2016115192.tif 000006
【図５】
2016115192.tif 000007
【図６】
2016115192.tif 000008
【図７】
2016115192.tif 000009
【図８】
2016115192.tif 000010
【図９】
2016115192.tif 000011
【図１０】
2016115192.tif 000012
【図１１】
2016115192.tif 000013
【図１２】
2016115192.tif 000014
【図１３】
2016115192.tif 000015
【図１４】
2016115192.tif 000016
【図１５】
2016115192.tif 000017
【図１６】
2016115192.tif 000018
【図１７】
2016115192.tif 000019
【図１８】
2016115192.tif 000020
【図１９】
2016115192.tif 000021
【図２０】
2016115192.tif 000022
【図２１】
2016115192.tif 000023
【図２２】
2016115192.tif 000024
【図２３】
2016115192.tif 000025
【図２４】
2016115192.tif 000026
【図２５】
2016115192.tif 000027
【図２６】
2016115192.tif 000028
【図２７】
2016115192.tif 000029